(57)【要約】【課題】  携帯端末において二次元コードを用いてコンテンツを取得して視聴するまでの手順が簡易であり、且つ、二次元コードの再発行を行うこと無く、二次元コードに対応するコンテンツの内容を変更可能とする情報提供システムを提供する。【解決手段】  コンテンツ管理サーバ２と、コンテンツを提供するコンテンツＩＤ情報３５とコンテンツを処理する専用アプリケーション１９を提供するＵＲＬ情報３４とを含むＱＲコード７を作成するサービスシステム１と、読み取ったＱＲコード７に含まれる情報に基づいて通信しコンテンツの提供を受ける携帯端末１０とを有し、専用アプリケーション１９は、ＱＲコード７を撮影部１６で読み取ると、ＱＲコード７に含まれるコンテンツＩＤ情報３５を取得し、その情報に基づいてサービスシステム１から受け取ったコンテンツを自動的に表示・再生する。【選択図】    図６
2009282896.tif 000002
【特許請求の範囲】
【請求項１】
音声又は映像データを含むコンテンツの識別情報を記述した二次元コードを読み取る読取手段と、
コンテンツの登録と提供する処理を行うコンテンツ管理サーバと通信を行う通信手段と、
前記コンテンツ管理サーバから提供されたコンテンツの再生を行う制御手段と、を備えた情報処理端末であって、
前記制御手段は、前記読取手段で読み取られた二次元コードに含まれるコンテンツの識別情報を取得し、前記取得したコンテンツの識別情報に基づいて前記通信手段を介して前記コンテンツ管理サーバからコンテンツを受信し、前記受信したコンテンツを自動的に再生するコンテンツ再生処理を実行することを特徴とする情報処理端末。
【請求項２】
前記二次元コードは、前記制御手段が行う機能を実行するための専用アプリケーションプログラムを提供サーバからダウンロードするように設定された提供サーバの接続情報を含み、
前記制御手段は、前記提供サーバの接続情報を読み取るアプリケーションによって前記提供サーバにアクセスした場合には、前記提供サーバの接続情報に基づいて前記通信手段を介して前記提供サーバから前記専用アプリケーションプログラムをダウンロードして所定の記憶媒体に記憶するダウンロード処理を実行することを特徴とする請求項１に記載の情報処理端末。
【請求項３】
前記二次元コードは、前記二次元コードを読み取ることによりコンテンツが自動的に再生されることが認識可能なマークが付与されていることを特徴とする請求項１又は請求項２に記載の情報処理端末。
【請求項４】
コンテンツの登録と提供する処理を行うコンテンツ管理サーバと、
専用アプリケーションプログラムを提供する提供サーバと、
請求項１から請求項３のいずれかに記載の情報処理端末と、を備えた情報提供システムであって、
前記コンテンツ管理サーバは、
登録するコンテンツに対するコンテンツ登録要求を受け付ける受付手段と、
前記受け付けたコンテンツを登録するコンテンツ登録手段と、
前記コンテンツ登録手段に登録するコンテンツに対応した二次元コードを生成する二次元コード生成手段と、
前記情報処理端末からの二次元コードに基づくコンテンツ要求に基づいて、前記コンテンツ登録手段に登録されたコンテンツの中から前記コンテンツ要求に対応するコンテンツを前記情報処理端末に提供するコンテンツ提供手段と、を備えることを特徴とする情報提供システム。
【請求項５】
前記受付手段は、前記コンテンツ登録手段に登録されたコンテンツの内容を変更するコンテンツ変更要求を受け付けた場合に、前記コンテンツ登録手段に登録されたコンテンツを前記コンテンツ変更要求により変更されるコンテンツに置き換えることを特徴とする請求項４に記載の情報提供システム。
【請求項６】
前記コンテンツ登録手段は、前記受付手段が登録するコンテンツとして複数のコンテンツを受け付けた場合に、前記受け付けた複数のコンテンツを登録し、
前記二次元コード生成手段は、前記受付手段が受け付けた複数のコンテンツに対して一の二次元コードを生成し、
前記コンテンツ提供手段は、予め設定されたスケジュールに従って、前記二次元コード生成手段が生成した一の二次元コードに基づいて前記コンテンツ登録手段に登録された複数のコンテンツの中から一のコンテンツを前記情報処理端末に提供することを特徴とする請求項４又は請求項５に記載の情報提供システム。
【請求項７】
前記コンテンツ提供手段は、予め設定されたスケジュールに従って提供するコンテンツの提供期限を設定することを特徴とする請求項４から請求項６のいずれかに記載の情報提供システム。
【請求項８】
前記受付手段は、前記コンテンツ登録要求の受付時に、広告サイトＵＲＬ情報、電話番号及び電子メールアドレスの少なくとも一つを受け付け、
前記コンテンツ登録手段は、前記広告サイトＵＲＬ情報、前記電話番号及び前記電子メールアドレスの少なくとも一つを前記受付手段で受け付けたコンテンツに含めて登録し、
前記コンテンツ提供手段は、前記情報処理端末からの二次元コードに基づくコンテンツ要求に基づいて、前記広告サイトＵＲＬ、前記電話番号、前記電子メールアドレスの少なくとも一つを前記コンテンツに含めて前記情報処理端末に提供することを特徴とする請求項４から請求項７のいずれかに記載の情報提供システム。
【発明の詳細な説明】
【技術分野】
【０００１】
本発明は、情報処理端末および情報提供システムに関する。
【背景技術】
【０００２】
従来、ネットワークに接続されたサーバで管理されている画像（静止画、動画）や音声を含むコンテンツを携帯端末で利用する場合において、二次元コードに含まれるＵＲＬ（Ｕｎｉｆｏｒｍ  Ｒｅｓｏｕｒｃｅ  Ｌｏｃａｔｏｒ）情報を読み取って、ＵＲＬ先のサーバにアクセスしてから必要とするコンテンツをユーザが選択して携帯端末にコンテンツをダウンロードし、携帯端末に既存のブラウザや再生アプリケーションなどによって、ダウンロードしたコンテンツを視聴している。
【０００３】
また、携帯端末から二次元コードを利用してコンテンツの提供を行う情報提供サービスが知られている。このサービスは、広告主が広告に関する情報をサーバに登録することにより、その広告に固有の広告情報を含む二次元コードがサーバから発行される。広告主が広告媒体にその二次元コードを掲載し、その広告媒体を見たユーザが携帯端末のカメラで広告媒体に掲載された二次元コードを読み取ると、携帯端末内で解読されて広告情報が携帯端末の表示画面に表示される。更に、広告情報に基づいてサーバにアクセスして広告に関する詳しい情報を取り込んで、携帯端末の表示画面に表示することができる（特許文献１）。
【特許文献１】特開２００２−１１１９０９号公報
【発明の開示】
【発明が解決しようとする課題】
【０００４】
しかしながら、従来の携帯端末において、二次元コードを用いた画像や音声を含むコンテンツ視聴する際に、まず、バーコードリーダなどのアプリケーションを用いて二次元コードを読み込み、二次元コードに記録されているＵＲＬ情報を取得してネットワークを介してそのサーバにアクセスし、次に、対象コンテンツを選択して携帯端末にダウンロードし、最後に、適切な表示再生アプリケーションを用いて視聴するという手順が必要となり、携帯端末側のユーザがコンテンツの視聴を行なうまでには多くの操作を必要とした。
【０００５】
また、特許文献１において、二次元コードに含まれる広告情報は、常に同じ情報が提供されるため、広告の変更を行う場合は、新しくサーバに情報を登録して新しい二次元コードの発行を行うか、もしくは、サーバ側の管理者が広告情報を表示するコンテンツ内容の変更する必要があった。
【０００６】
そこで、本発明は、上記問題点に鑑みなされたものであり、二次元コードを用いてコンテンツを取得して視聴するまでの手順が簡易な情報処理端末および情報提供システムを提供することを目的とする。
【課題を解決するための手段】
【０００７】
上記課題を解決するために、本発明は、音声又は映像データを含むコンテンツの識別情報を記述した二次元コードを読み取る読取手段と、コンテンツの登録と提供する処理を行うコンテンツ管理サーバと通信を行う通信手段と、前記コンテンツ管理サーバから提供されたコンテンツの再生を行う制御手段と、を備えた情報処理端末であって、前記制御手段は、前記読取手段で読み取られた二次元コードに含まれるコンテンツの識別情報を取得し、前記取得したコンテンツの識別情報に基づいて前記通信手段を介して前記コンテンツ管理サーバからコンテンツを受信し、前記受信したコンテンツを自動的に再生するコンテンツ再生処理を実行する。
【０００８】
この構成によれば、情報処理端末から二次元コードの読み取り操作を行なうだけでコンテンツの視聴が可能となる。そのため、情報処理端末のユーザにコンテンツの視聴までの煩わしい手順が不要となり、積極的にコンテンツの視聴ができて、情報提供の機会を増大させることができる。また、二次元コードに対してコンテンツ情報と同等の意味を持たせることで宣伝広告などにおいて二次元コードの利用機会が増える。
【０００９】
上記情報処理端末において、前記二次元コードは、前記制御手段が行う機能を実行するための専用アプリケーションプログラムを提供サーバからダウンロードするように設定された提供サーバの接続情報を含み、前記制御手段は、前記提供サーバの接続情報を読み取るアプリケーション（例えばバーコードリーダ）によって前記提供サーバにアクセスした場合には、前記提供サーバの接続情報に基づいて前記通信手段を介して前記提供サーバから前記専用アプリケーションプログラムをダウンロードして所定の記憶媒体に記憶するダウンロード処理を実行することを特徴とする。
【００１０】
本発明によれば、専用アプリケーションが情報処理端末に格納されていない場合には、自動的に専用アプリケーションがダウンロードされるため、専用アプリケーションが格納されていない情報処理端末を持つ利用者であっても、複雑な操作を行うことなく、情報処理端末から二次元コードの読み取り操作を行なうだけでコンテンツの視聴が可能となる。
【００１１】
前記制御手段は、前記読取手段で読み取られた二次元コードに含まれる情報に基づいて、前記コンテンツ再生処理及び前記ダウンロード処理を自動的に実行することを特徴とする。本発明によれば、コンテンツ再生処理又はダウンロード処理を自動化できる。
【００１２】
前記二次元コードは、前記二次元コードを読み取ることによりコンテンツが自動的に再生されることが認識可能なマークが付与されていることを特徴とする。本発明によれば、コンテンツが自動的に再生されることが認識可能なマークが付与されている二次元コードを見た利用者は、複雑な操作が必要でないことが分かるため、積極的にコンテンツを再生したいという気持ちになれる。これにより、二次元コードに対してコンテンツ情報と同等の意味を持たせることができる。
【００１３】
本発明の情報提供システムは、コンテンツの登録と提供する処理を行うコンテンツ管理サーバと、専用アプリケーションプログラムを提供する提供サーバと、上記情報処理端末と、を備えた情報提供システムであって、前記コンテンツ管理サーバは、登録するコンテンツに対するコンテンツ登録要求を受け付ける受付手段と、前記受け付けたコンテンツを登録するコンテンツ登録手段と、前記コンテンツ登録手段に登録するコンテンツに対応した二次元コードを生成する二次元コード生成手段と、前記情報処理端末からの二次元コードに基づくコンテンツ要求に基づいて、前記コンテンツ登録手段に登録されたコンテンツの中から前記コンテンツ要求に対応するコンテンツを前記情報処理端末に提供するコンテンツ提供手段と、を備える。本発明によれば、広告主は二次元コードの読取操作を行うだけで再生が可能なコンテンツを利用者に提供することができる。
【００１４】
前記受付手段は、前記コンテンツ登録手段に登録されたコンテンツの内容を変更するコンテンツ変更要求を受け付けた場合に、前記コンテンツ登録手段に登録されたコンテンツを前記コンテンツ変更要求により変更されるコンテンツに置き換えることを特徴とする。この構成によれば、二次元コードを変えることなく、コンテンツ内容を変更及び追加することが可能である。そのため、広告媒体に印刷済みの二次元コードを変えることなく、二次元コードに対応したコンテンツ内容を変えることで、広告媒体を無駄にすることがなくなる。また、指定されたタイミングに応じたコンテンツ内容を情報処理端末のユーザに提供することができる。
【００１５】
上記構成において、前記コンテンツ登録手段は、前記受付手段が登録するコンテンツとして複数のコンテンツを受け付けた場合に、前記受け付けた複数のコンテンツを登録し、前記二次元コード生成手段は、前記受付手段が受け付けた複数のコンテンツに対して１つの二次元コードを生成し、前記コンテンツ提供手段は、予め設定されたスケジュールに従って、前記二次元コード生成手段が生成した１つの二次元コードに基づいて前記コンテンツ登録手段に登録された複数のコンテンツの中から１つのコンテンツを前記情報処理端末に提供する。
【００１６】
本発明によれば、コンテンツ内容を複数設定して、スケジュール機能によって、コンテンツ内容が選択されるため、１つの二次元コードで複数のコンテンツ内容を提供することができる。そのため、ユーザは、スケジュールによって内容が変わるコンテンツにより多くの情報を享受することができ、積極的にコンテンツの視聴できて、情報提供の機会を増大させることができる。
【００１７】
前記コンテンツ提供手段は、予め設定されたスケジュールに従って提供するコンテンツの提供期限を設定することを特徴とする。
【００１８】
上記情報提供システムにおいて、前記受付手段は、前記コンテンツ登録要求の受付時に、広告サイトＵＲＬ情報、電話番号及び電子メールアドレスの少なくとも一つを受け付け、前記コンテンツ登録手段は、前記広告サイトＵＲＬ情報、前記電話番号及び前記電子メールアドレスの少なくとも一つを前記受付手段で受け付けたコンテンツに含めて登録し、前記コンテンツ提供手段は、前記情報処理端末からの二次元コードに基づくコンテンツ要求に基づいて、前記広告サイトＵＲＬ、前記電話番号、前記電子メールアドレスの少なくとも一つを前記コンテンツに含めて前記情報処理端末に提供することを特徴とする。この構成によれば、音声データ、画像データなどのコンテンツに含めて、広告ＵＲＬ、電話番号、電子メールアドレスの情報を提供することができる。
【発明の効果】
【００１９】
本発明によれば、携帯端末において二次元コードを用いてコンテンツを取得して視聴するまでの手順が簡易な情報処理端末および情報提供システムを提供することができる。
【発明を実施するための最良の形態】
【００２０】
以下、本発明の実施形態について、ＱＲコードを使用した例について、添付図面を参照しつつ説明する。尚、この実施例によって本発明を限定するものではない。
【００２１】
図１は、本発明における携帯端末に係るアプリケーションのサービスシステムにおいて、広告主によるコンテンツ登録の概要を示した説明図である。コンテンツファイルには、音声データ、画像データなどが含まれ、画像データには静止画データ、動画データが含まれる。図１に示すとおり、サービスシステム１は、コンテンツ管理サーバ２に、ＱＲコード作成部３とデータベース４が其々接続されて構成されている。サービスシステム１は、コンテンツと専用アプリケーションプログラムを提供する。サービスシステム１は、受付手段とコンテンツ登録手段とＱＲコード生成手段とコンテンツ提供手段として機能する。
【００２２】
コンテンツ管理サーバ２は、コンテンツ情報を記憶するデータベース４の制御、コンテンツ情報に対応したＱＲコードを作成するＱＲコード作成部３の制御、及び、広告主５との情報の送受信の制御を行っている。サービスシステム１に登録されている広告主５は、パーソナルコンピュータを利用してサービスシステム１にログインして、登録するコンテンツ情報をサービスシステム１に送信する。登録するコンテンツには、音声データ、画像データ、タイトルデータ（文字データ）、広告バナー画像データ、及び広告サイトＵＲＬ情報が含まれており、このコンテンツ情報をコンテンツ管理サーバ２が受信する。尚、広告バナー画像データ及び広告サイトＵＲＬ情報は、無くても良いとしている。また、広告サイトＵＲＬ情報に代えて電話番号、電子メールアドレスなどを登録することも可能である。
【００２３】
コンテンツ管理サーバ２は、登録するコンテンツに対するコンテンツ登録要求を受け付け、受け付けたコンテンツをデータベース４に登録する。具体的には、コンテンツ管理サーバ２は、受信したコンテンツ情報を確認した後、データベース４内の広告主５用の保存領域にそのコンテンツ情報を携帯端末にて閲覧可能な形式に変換して保存する。このデータベース４内の広告主５用の保存領域には、既に広告主５用のコンテンツアドレスであるＵＲＬ情報が付与されており、この保存領域にコンテンツ情報を保存することで、広告主５のコンテンツにそのコンテンツ情報が反映される。また、コンテンツ管理サーバ２は、広告主５用のコンテンツアドレスに対応するＩＤを付与し、このデータベース４内の広告主５用の保存領域に一緒に保存される。データベース４は、広告主５から送信された多種類の音声や静止画像、動画像の画像等のコンテンツ情報を記憶する。
【００２４】
ＱＲコード作成部３は、登録するコンテンツに対応したＱＲコードを生成する。具体的には、ＱＲコード作成部３は、コンテンツ管理サーバ２によって付与された広告主５用のコンテンツＩＤ情報とユーザが設定したＱＲコードの有効期限などの情報を基に、ＱＲコード７を作成する。作成されたＱＲコード７は、コンテンツ管理サーバ２によって、広告主５に送信される。尚、このＱＲコード７を基となったコンテンツに対応させてデータベース４に記憶してもよい。
【００２５】
広告主５は、サービスシステム１から受信した広告主５用のコンテンツＩＤに対応するＱＲコード７を広告媒体６に掲載して配布する。
【００２６】
尚、コンテンツ管理サーバ２は、登録するコンテンツとして複数のコンテンツを後述する携帯端末１０（図５参照）等から受け付けた場合に、受け付けた複数のコンテンツを一のＱＲコードに対応するようデータベース４に登録する。この場合、ＱＲコード作成部３は、受け付けた複数のコンテンツに対して一のＱＲコードを生成する。
【００２７】
また、コンテンツ管理サーバ２は、サービスシステム１から提供された専用アプリケーションプログラムを実行する携帯端末１０からのみ、コンテンツ登録要求又はコンテンツ変更要求を受け付けるよう構成してもよい。
【００２８】
コンテンツ管理サーバ２は、携帯端末１０からのＱＲコードに基づくコンテンツ要求に基づいて、データベース４に登録されたコンテンツの中からコンテンツ要求に対応するコンテンツを携帯端末１０に提供する。また、コンテンツ管理サーバ２は、予め設定されたスケジュールが記述されたテーブルに従って、ＱＲコード作成部３が生成した一のＱＲコードに基づいてデータベース４に登録された複数のコンテンツの中から予め設定されたスケジュールに従って一のコンテンツを携帯端末１０に提供する。コンテンツ管理サーバ２は、予め設定されたスケジュールが記述されたテーブルに従って提供するコンテンツの提供期限を設定することができる。
【００２９】
図２は、本発明における携帯端末に係るアプリケーションのサービスシステムにおいて、広告主又は管理者によるコンテンツ情報の変更や追加の概要を示した説明図である。
【００３０】
サービスシステム１に登録されている広告主５又は管理者８は、パーソナルコンピュータを利用して、サービスシステム１にログインして、登録している現在のコンテンツ情報を確認する。コンテンツ管理サーバ２は、サービスシステム１にログインした広告主５や管理者８に対応した登録しているコンテンツ情報をデータベース４から抽出して表示する。コンテンツ管理サーバ２は、携帯端末１０などからデータベース４に登録されたコンテンツの内容を変更するコンテンツ変更要求を受け付けた場合に、データベース４に登録されたコンテンツをコンテンツ変更要求により変更されるコンテンツに置き換える。
【００３１】
広告主５及び管理者８は、登録している現在のコンテンツ情報のうち変更したいデータのみを上書きすることができる。また、コンテンツ管理サーバ２は、上書きして変更したコンテンツ情報を表示し、上書き変更が完了したことを報告する。
【００３２】
これにより、サービスシステム１に登録している広告主５は、パーソナルコンピュータを利用して、発行済みのＱＲコードに対応するコンテンツ内容を任意のタイミングで更新することができるので、同じＱＲコードでもアクセスしたタイミングによって異なったコンテンツを再生できる機能が実現できるので、様々なサービスに利用することができる。
【００３３】
また、サービスシステム１に登録しているコンテンツ情報の其々のデータに対して有効期限設定や切替設定を行うことができる。例えば、コンテンツで出力される画像の画像データを複数登録して、それぞれの有効期限を異なるように設定することで、季節や時期に応じた画像データを含むコンテンツを提供することができる。
【００３４】
また、サービスシステム１に登録している広告主５は、パーソナルコンピュータを利用して１つのＱＲコード７に対して複数のコンテンツを登録できて、またそれぞれのコンテンツに対してＱＲコードから再生される優先順位或いは再生スケジュールを設定することができる。そのため、同じＱＲコード７で、季節や時期によって全く異なるコンテンツを提供することができる。
【００３５】
図３は、本発明における携帯端末に係るアプリケーションのサービスシステムにおいて、広告主によるコンテンツ登録、変更及び追加の処理を示したフローチャートである。
【００３６】
ステップＳ１では、コンテンツ管理サーバ２は、サービスシステム１に登録している広告主５に対して、コンテンツ情報の新規登録、変更及び追加の処理を行うためのサイトを提供し、広告主５にログイン画面を表示する。この処理が終了したら、ステップＳ２へ移行する。
【００３７】
ステップＳ２では、コンテンツ管理サーバ２は、ログイン画面に対してユーザが入力したユーザＩＤとパスワードの認証を行い、ユーザＩＤとパスワードが正しく入力されたか否かを判定する。つまり、サービスシステム１に登録されている広告主５、認証システムでセキュリティが保たれ、登録されている広告主５がアップロードしたコンテンツおよび広告情報は他の登録利用者からはアクセスできない仕組みとなっていている。ユーザＩＤとパスワードが正しく入力されたと判定する場合はステップＳ３へ移行し、ユーザＩＤとパスワードが正しく入力されたと判定しない場合はステップＳ１へ移行する。
【００３８】
ステップＳ３では、コンテンツ管理サーバ２は、広告主５が視聴しているパーソナルコンピュータに接続されたディスプレイにコンテンツ管理画面を表示し、ログインしたユーザＩＤに対応するデータベース４にあるユーザ専用の保存領域の現在のコンテンツ情報を表示する。コンテンツ管理サーバ２は、新規登録の場合は、コンテンツ情報は空白で表示される。この処理が終了したら、ステップＳ４へ移行する。
【００３９】
ステップＳ４では、コンテンツ管理サーバ２は、ユーザからの操作により、データベース４にあるユーザ専用の保存領域のコンテンツ情報をアップロードする。この処理において、ユーザは、操作するパーソナルコンピュータにより所望の画像データ及び音声データをサービスシステム１に送信して、データベース４にあるユーザ専用の保存領域のコンテンツ情報を上書きすることができる。又、コンテンツ管理サーバ２は、コンテンツ登録要求の受付時に、画像データ又は音声データの他に、広告サイトＵＲＬ情報、電話番号又は電子メールアドレスを受け付けた場合には、広告サイトＵＲＬ情報、電話番号、電子メールアドレスを音声データ又は画像データなどのコンテンツに含めて登録する。この処理が終了したら、ステップＳ５へ移行する。
【００４０】
ステップＳ５では、コンテンツ管理サーバ２は、ユーザが入力したコンテンツで表示されるタイトル文字情報をデータベース４にあるユーザ専用の保存領域のコンテンツ情報に上書きする。この処理が終了したら、ステップＳ６へ移行する。
【００４１】
ステップＳ６では、コンテンツ管理サーバ２は、ユーザからの操作により、データベース４にあるユーザ専用の保存領域に広告バナーをアップロードする。この処理において、ユーザは、パーソナルコンピュータにより所望の広告バナーと広告バナーのリンク先ＵＲＬ情報をサービスシステム１に送信して、データベース４にあるユーザ専用の保存領域のコンテンツ情報を上書きすることができる。この処理が終了したら、ステップＳ７へ移行する。
【００４２】
ステップＳ７では、コンテンツ管理サーバ２は、ユーザの操作に基づいて、ＱＲコードを作成するか否かを判定する。ユーザが新規登録やＱＲコードの有効期限が切れたためにＱＲコードを発行する操作が、コンテンツ管理サーバ２によって受信されたか否かを判定する。ユーザの操作に基づいてＱＲコードを作成すると判定する場合はステップＳ８へ移行し、ユーザの操作に基づいてＱＲコードを作成すると判定しない場合はステップＳ０１０へ移行する。
【００４３】
ステップＳ８では、コンテンツ管理サーバ２は、広告主５用のコンテンツに対応するＩＤをＱＲコード作成部３へ送信し、ＱＲコードを作成する。この処理において、コンテンツ管理サーバ２は、ユーザの端末により入力されたＱＲコードのタイトル、パスワード、及び有効期限と、ユーザのコンテンツアドレスとに基づいて、ＱＲコードを作成する。この処理が終了したら、ステップＳ９へ移行する。
【００４４】
ステップＳ９では、ユーザは、ＱＲコード作成部３で作成したＱＲコードをコンテンツ管理サーバ２からダウンロードする。この処理が終了したら、ステップＳ０１０へ移行する。
【００４５】
ステップＳ０１０では、コンテンツ管理サーバ２は、ログイン画面に対してユーザが入力したログアウト処理に応じて、コンテンツ管理画面を終了する。この処理が終了したら、本フローを終了する。
【００４６】
つまり、サービスシステム１に登録されている広告主５は、専用のＷｅｂサイトからコンテンツ情報と広告情報をアップロードしてＱＲコード７を作成することができる。
【００４７】
図４には、本発明における携帯端末に係るアプリケーションのサービスシステムにおいて、ＱＲコード作成部で作成したＱＲコードのデザインの例と、データフォーマットを示す説明図である。図４において、参照符号３１はＱＲコード部、３２は認識マーク、３３はデータ取得情報、３４はＵＲＬ情報、３５はＩＤ情報をそれぞれ示している。
【００４８】
サービスシステム１で生成されたＱＲコード７から取得されるデータ取得情報３３は、制御部１２が行う機能を実行するための専用アプリケーションを提供するサーバの接続情報となるＵＲＬ情報３４とコンテンツの識別情報となるＩＤ情報３５とで構成されている。上位のＵＲＬ情報３４は専用アプリケーション１９のダウンロードページのＵＲＬ情報を示し、下位のＩＤ情報３５は専用アプリケーション１９が使用するコンテンツＩＤ情報を示す。コンテンツＩＤ情報は、専用アプリケーション１９にて指定されるサービスシステム１から提供されるコンテンツアドレス情報である。
【００４９】
２つの情報を有するＱＲコード７は、従来のＱＲコードと区別するために、ＱＲコード部３１の他に、視認性が高く利用者が一目でコンテンツＩＤ情報が含まれたＱＲコードだと認識できるようにマーク３２を設けている。このマーク３２は、ＱＲコードを読み取ることによりコンテンツが自動的に再生されることが認識可能なマークである。
【００５０】
図５は、本発明における携帯端末に係るアプリケーションのサービスシステムにおいて、ユーザによるコンテンツ取得の概要を示した説明図である。図５に示すとおり、ユーザは、携帯端末１０に記憶されたサービスシステム１に対応した専用アプリケーションを起動する。専用アプリケーションに従って、広告主５が広告媒体６に掲載したサービスシステム１で作成したＱＲコード７を携帯端末１０の撮影機能によって撮影すると、携帯端末１０は、ＱＲコード７を読み取り、ＱＲコード７に含まれるコンテンツＩＤ情報を取得する。
【００５１】
次に、専用アプリケーションは、携帯端末１０の通信機能を利用して、サービスシステム１に自動的にアクセスを行って、ＱＲコード７の情報に含まれたコンテンツＩＤ情報を送信する。サービスシステム１は、携帯端末１０が指定したコンテンツＩＤ情報をコンテンツ管理サーバ２が受信して、コンテンツＩＤ情報に対応したコンテンツ情報をデータベース４から取得して、携帯端末１０に送信する。
【００５２】
携帯端末１０は、サービスシステム１から送信されたコンテンツを取得し、専用アプリケーションにて、そのコンテンツ情報を処理する。よって、コンテンツ情報に含まれる音声データが音声として自動再生し、また、携帯端末１０の表示部では、画像データ、タイトルデータ、及び広告バナー画像データが所定の配置で自動的に表示される。
【００５３】
図６は、本発明における携帯端末に係るアプリケーションのサービスシステムにおいて、携帯端末の内部構成を示したブロック図である。図６に示すように、携帯端末１０は、主に、通信部１１、制御部１２、表示部１３、操作部１４、音声入力部１５、撮影部１６及び音声出力部１７を含んで構成されている。
【００５４】
通信部１１は、サービスシステム１と通信を行う通信手段として機能し、基地局を介して他の携帯電話との通話や、ネットワークに接続して電子メールサーバやサイトを提供するサーバに通信に用いられる他に、サービスシステム１に接続して、コンテンツを取得する通信にも用いられている。表示部１３は、撮影した画像表示、電子メールの表示、及び各種の操作画面の表示に用いられる他に、コンテンツ情報の１つである画像データ、タイトルデータ、及び広告バナー画像データを表示している。操作部１４は、電話番号の入力、電子メールのテキスト入力、及び各種機能の操作に用いられる他に、表示されたコンテンツの選択操作に用いられる。音声入力部１５は、通話時においてユーザの音声入力に用いられる。撮影部１６は、被写体の撮影に用いられる他に、ＱＲコード７を読み取る読取手段としても機能する。音声出力部１７は、通話時において通話相手からの音声出力に用いられる他に、コンテンツ情報の１つである音声データを音声に変換して出力している。
【００５５】
制御部１２は、プログラムを実行して、パラレルで接続している通信部１１、表示部１３、操作部１４、音声入力部１５、撮影部１６及び音声出力部１７を制御している。また、制御部１２の内部には、不揮発性メモリ部１８が設けられている。不揮発性メモリ部１８には、携帯端末の機能に伴うアプリケーションやユーザが登録したアドレス帳などの情報を多数記憶している。不揮発性メモリ部１８のアプリケーションを保存する領域に、サービスシステムに係る情報処理を行う専用アプリケーション１９が保存されている。
【００５６】
制御部１２は、撮影部１６で読み取られたＱＲコードに含まれるコンテンツＩＤを取得し、取得したコンテンツＩＤに基づいて通信部１１を介してサービスシステム１からコンテンツを受信し、受信したコンテンツを自動的に再生するコンテンツ再生処理を実行する。制御部１２は、不揮発性メモリ部１８に専用アプリケーション１９が保存されておらず、サービスシステム１から専用アプリケーションをダウンロードしていない場合に、撮影部１６で読み取られたＱＲコードに含まれる専用アプリケーションのダウンロード先であるＵＲＬに基づいて通信部１１を介してサービスシステム１から専用アプリケーションプログラムをダウンロードして不揮発性メモリ部１８に記憶するダウンロード処理を実行する。制御部１２は、撮影部１６で読み取られたＱＲコードに含まれる情報に基づいて、コンテンツ再生処理及びダウンロード処理を自動的に実行する。
【００５７】
通信部１１により取得されたコンテンツは、制御部１２の不揮発性メモリ１８に保存される。不揮発性メモリ１８に保存されたコンテンツは、専用アプリケーション１９の処理により、音声データは音声出力部１７に送られ音声として出力される。また、画像データ、タイトルデータ、及び広告バナー画像データは、表示部１３に送られ所定に配置で表示される。
【００５８】
不揮発性メモリ部１８に専用アプリケーション１９が保存されていない場合は、取得した専用アプリケーション１９のダウンロード先であるＵＲＬ情報を通信部１１に送信し、通信部１１は、インターネット接続して指定されたＵＲＬへ通信を行い、専用アプリケーション１９のダウンロードするホームページを表示する情報を取得する。取得した情報は、制御部１２により表示部１３で表示され、表示部１３によりユーザは、専用アプリケーション１９のダウンロードするホームページを閲覧できる。
【００５９】
図７は、本発明における携帯端末に係るアプリケーションのサービスシステムにおいて、コンテンツを取得した携帯端末の表示画面を示した説明図である。
【００６０】
図７（ａ）の左図は、専用アプリケーション１９によってコンテンツを取得した携帯端末１０の表示画面を示している。携帯端末１０の表示部１３では、コンテンツ画像２０が表示されている。コンテンツ画像２０には、コンテンツのタイトルを示すタイトル部２１と、コンテンツに含まれる音声２６の再生を行う音声再生ボタン２２と、広告の内容を指し示す広告バナー２３と、専用アプリケーションの操作メニューを表示するメニューボタン２４と、専用アプリケーション１９を終了する終了ボタン２５が設けられている。図７（ａ）の左図では、携帯端末１０の表示部１３に表示したコンテンツ画像２０において、音声再生ボタン２２がユーザによって選択されている状態を示している。
【００６１】
図７（ａ）の右図は、コンテンツに含まれる音声が再生中の携帯端末１０の表示画面を示している。図７（ａ）左図で示したコンテンツ画像２０のコンテンツに含まれる音声２６の再生を行う音声再生ボタン２２が、音声２６が再生中には音声一時停止ボタン２７に変更する。音声一時停止ボタン２７がユーザにより選択して決定されると、音声２６は一時停止する。
【００６２】
専用アプリケーション１９によってコンテンツを取得すると、図７（ａ）の左図から自動的に図７（ａ）の右図へ移行して、自動的に音声２６が音声出力部１７から出力される。音声の出力は、携帯端末１０に既存の音声出力アプリケーションを起動して、音声データを専用アプリケーションから既存の音声出力アプリケーションへ受け渡して出力を行う。音声の音声２６の出力が終了、又は音声一時停止ボタン２７により音声２６が一時停止となると、図７（ａ）の左図で示す表示画面に戻る。再度、音声２６を出力する場合は、音声再生ボタン２２を選択して決定すると、図７（ａ）の右図で示す表示画面となり、音声２６が音声出力部１７から出力される。
【００６３】
図７（ｂ）の左図は、専用アプリケーション１９によってコンテンツを取得した携帯端末１０の表示画面を示している。携帯端末１０の表示部１３に表示したコンテンツ画像２０において、広告バナー２３がユーザによって選択されている状態を示している。ここで、ユーザの操作により広告バナー２３が押下されると、携帯端末１０に既存のＷｅｂブラウザが起動して、図７（ｂ）の右図のように、広告バナー２３によって指定されたリンク先の広告ページ２８を表示する。戻るボタン２９を操作することにより図７（ｂ）の左図の画面に戻すことができる。
【００６４】
図８は、本発明における携帯端末に係るアプリケーションのサービスシステムにおいて、携帯端末において専用アプリケーションにてコンテンツを取得して再生及び表示を行う処理を示したフローチャートである。
【００６５】
ステップＳ１０では、専用アプリケーション１９が不揮発性メモリ部１８にインストール済みであるか否かを判定する。専用アプリケーション１９がインストール済みであると判定された場合はステップＳ１００へ移行し、専用アプリケーション１９がインストール済みであると判定されない場合はステップＳ２０へ移行する。
【００６６】
ステップＳ２０では、ユーザは、ＱＲコード７を読み込むために、携帯端末に既存の通常のバーコードリーダアプリケーションを起動する。この処理が終了したら、ステップＳ３０へ移行する。
【００６７】
ステップＳ３０では、サービスシステム１で生成されたＱＲコード７を通常のバーコードリーダアプリケーションで読み込む。この処理において、サービスシステム１で生成されたＱＲコード７を撮影部１６にて撮影し、その情報を制御部１２へ送信する。この処理が終了したら、ステップＳ４０へ移行する。
【００６８】
ステップＳ４０では、読み込んだＱＲコード７から専用アプリケーションのダウンロード先であるＵＲＬ情報を取得する。この処理において、制御部１２は、撮影部１６で撮影したＱＲコード７から専用アプリケーション１９のダウンロード先であるＵＲＬ情報を取得する。このとき、ＱＲコード７に付与されているコンテンツＩＤ情報は取得しない。この処理が終了したら、ステップＳ５０へ移行する。
【００６９】
ステップＳ５０では、取得したＵＲＬ情報を表示させるために制御部１２の不揮発性メモリ部１８に既存しているＷｅｂブラウザを起動させる。この処理が終了したら、ステップＳ６０へ移行する。
【００７０】
ステップＳ６０では、専用アプリケーション１９のダウンロードサイトに接続して、Ｗｅｂブラウザにて表示部１３で表示させる。この処理において、制御部１２は、通信部１１によって専用アプリケーション１９のダウンロードサイトに接続し、ダウンロードサイトの情報を取得して表示部１３で表示する。この処理が終了したら、ステップＳ７０へ移行する。
【００７１】
ステップＳ７０では、専用アプリケーション１９をダウンロードして携帯端末１０にインストール処理を行う。この処理において、制御部１２は、ユーザによるダウンロード許可の操作を受けて、通信部１１を介して専用アプリケーション１９のダウンロードし、制御部１２内の不揮発性メモリ部１８に保存する。この処理が終了したら、ステップＳ８０へ移行する。
【００７２】
ステップＳ８０では、Ｗｅｂブラウザを終了する処理を行う。この処理において、制御部１２は、ユーザによるＷｅｂブラウザを終了の操作を受けて、制御部１２の不揮発性メモリ部１８に既存しているＷｅｂブラウザを終了させる。この処理が終了したら、ステップＳ９０へ移行する。
【００７３】
ステップＳ９０では、通常のバーコードリーダアプリケーションを終了する処理を行う。この処理において、制御部１２は、ユーザによる通常のバーコードリーダアプリケーションを終了の操作を受けて、制御部１２の不揮発性メモリ部１８に既存している通常のバーコードリーダアプリケーションを終了させる。この処理が終了したら、ステップＳ１０へ移行する。
【００７４】
ステップＳ１００では、サービスシステム１で生成されたＱＲコード７を読み込むために、制御部１２の不揮発性メモリ部１８に保存された専用アプリケーション１９を起動する。この処理が終了したら、ステップＳ１１０へ移行する。
【００７５】
ステップＳ１１０では、専用アプリケーション９にて、サービスシステム１で生成されたＱＲコード７を読みとり、ＱＲコード７に付与されているコンテンツＩＤ情報を取得して、所定のコンテンツを取得する処理が行われる。詳細は後述する。この処理が終了したら、本ルーチンを終了する。
【００７６】
図９は、本発明における携帯端末に係るアプリケーションのサービスシステムにおいて、図８のステップＳ１１０において処理される、携帯端末において専用アプリケーションにてコンテンツを取得して再生及び表示を行う処理を示したフローチャートである。
【００７７】
ステップＳ２１０では、専用アプリケーション１９によりバーコードリーダを起動させる。この処理において、専用アプリケーション１９により携帯端末に既存の通常のバーコードリーダアプリケーションを起動する。この処理が終了したら、ステップＳ２２０へ移行する。
【００７８】
ステップＳ２２０では、サービスシステム１で生成されたＱＲコード７をバーコードリーダアプリケーションで読み込む。この処理において、サービスシステム１で生成されたＱＲコード７を撮影部１６にて撮影し、その情報を制御部１２へ送信する。この処理が終了したら、ステップＳ２３０へ移行する。
【００７９】
ステップＳ２３０では、読み込んだＱＲコード７からコンテンツＩＤを取得する。この処理において、制御部１２は、バーコードリーダアプリケーションで撮影したＱＲコードの情報からＱＲコード７に付与されているコンテンツＩＤ情報を取得し、専用アプリケーション１９へコンテンツＩＤ情報を受け渡す。このとき、ＱＲコード７に付与されている専用アプリケーション１９のダウンロード先であるＵＲＬ情報は使用しない。この処理が終了したら、ステップＳ２４０へ移行する。
【００８０】
ステップＳ２４０では、コンテンツＩＤ情報にあるコンテンツアドレスに接続する処理を行う。この処理において、制御部１２は、専用アプリケーション１９の処理に従って、通信部１１からコンテンツＩＤ情報をサービスシステム１に送信して、該当するコンテンツがあるコンテンツアドレスに接続させる。この処理が終了したら、ステップＳ２５０へ移行する。
【００８１】
ステップＳ２５０では、コンテンツＩＤ情報によって指定されたコンテンツを携帯端末にダウンロードする処理を行う。又、コンテンツ管理サーバ２は、携帯端末１０からのＱＲコードに基づくコンテンツ要求に基づいて、コンテンツ情報内に、広告サイトＵＲＬ、電話番号、電子メールアドレスをコンテンツに含めて携帯端末１０に提供する。この処理において、制御部１２は、通信部１１によって、コンテンツＩＤ情報によって指定されたコンテンツをダウンロードして、制御部１２の不揮発性メモリ部１８の所定の領域に保存する。ダウンロードしたコンテンツファイルは、外部記憶装置などに記憶させないことで、著作権保護も可能となる。取得するコンテンツ情報には、バージョン、コンテンツファイル名、広告ＵＲＬ、タイトル、パスワードの情報などが含まれている。広告ＵＲＬが有効な場合は広告ファイル名から広告バナーのリソース情報を取得する。この処理が終了したら、ステップＳ２６０へ移行する。
【００８２】
ステップＳ２６０では、コンテンツの画像データ、タイトルデータ、及び広告画像データを表示部１３で表示する処理を行う。この処理において、制御部１２によって、コンテンツの画像データが表示部１３へ送られ、専用アプリケーション１９上でコンテンツの画像、タイトル、広告バナーを所定の配置を表示する。この処理が終了したら、ステップＳ２７０へ移行する。
【００８３】
ステップＳ２７０では、コンテンツの音声または音声および映像データを音声出力部１７で出力する処理を行う。この処理において、制御部１２によって、コンテンツの音声データが音声出力部１７へ送られ、携帯端末１０に既存の音声出力アプリケーションを起動して、音声データを専用アプリケーションから既存の音声出力アプリケーションへ受け渡して出力を行う。この処理が終了したら、ステップＳ２８０へ移行する。
【００８４】
ステップＳ２８０では、専用アプリケーション１９上で表示された広告バナーがユーザにより選択されたか否かを判定する。ユーザにより広告バナーが選択されたと判定する場合はステップＳ２９０へ移行し、ユーザにより広告バナーが選択されたと判定しない場合はステップＳ３２０へ移行する。
【００８５】
ステップＳ２９０では、広告バナーのＵＲＬ情報を表示させるために制御部１２の不揮発性メモリ部１８に既存しているＷｅｂブラウザを起動させる。この処理が終了したら、ステップＳ３００へ移行する。
【００８６】
ステップＳ３００では、Ｗｅｂブラウザにて広告バナーが指定したホームページを表示部１３で表示させる。この処理において、制御部１２は、広告バナーによって指定された広告ＵＲＬに接続して、Ｗｅｂブラウザにてその広告のホームページを表示部１３で表示させる。この処理が終了したら、ステップＳ３１０へ移行する。
【００８７】
ステップＳ３１０では、Ｗｅｂブラウザを終了する処理を行う。この処理において、制御部１２は、ユーザによるＷｅｂブラウザを終了の操作を受けて、制御部１２の不揮発性メモリ部１８に既存しているＷｅｂブラウザを終了させる。この処理が終了したら、ステップＳ２８０へ移行する。
【００８８】
ステップＳ３２０では、専用アプリケーション１９上で表示された音声再生ボタン２２がユーザによって選択されたか否かを判定する。音声再生ボタン２２がユーザによって選択されたと判定する場合はステップＳ２７０へ移行し、音声再生ボタン２２がユーザによって選択されたと判定しない場合はステップＳ３３０へ移行する。
【００８９】
ステップＳ３３０では、専用アプリケーション１９上で表示された終了ボタンがユーザにより選択されたか否かを判定する。ユーザにより終了ボタンが選択されたと判定する場合はステップＳ３４０へ移行し、ユーザにより終了ボタンが選択されたと判定しない場合はステップＳ２８０へ移行する。
【００９０】
ステップＳ３４０では、専用アプリケーション１９を終了する処理を行う。この処理において、制御部１２は、ユーザによる専用アプリケーション１９を終了の操作を受けて、制御部１２の不揮発性メモリ部１８に既存している専用アプリケーション１９を終了させる。この処理が終了したら、本ルーチンを終了する。
【００９１】
図１０は、本発明における携帯端末に係るアプリケーションのサービスシステムにおいて、広告主に提供されるＱＲコードの配布例を示した説明図である。
【００９２】
図１０で示すように、広告主５は、サービスシステム１からダウンロードしたＱＲコード７を様々な広告媒体６に掲載して、ユーザに配布する。例えば、広告主５は、本や雑誌などの印刷物６ａにＱＲコード７ａを掲載してユーザに配布し、この印刷物６ａに関する内容のコンテンツ情報をサービスシステム１に登録する。例えば、印刷物６ａに関する音声や特典の情報をサービスシステム１に登録することで、印刷物６ａの販売促進を行うことができる。
【００９３】
また、広告主５は、商品６ｂの外枠にＱＲコード７ｂを掲載してユーザに配布し、この商品６ｂに関する内容のコンテンツ情報をサービスシステム１に登録する。例えば、商品６ｂに関する音声や特典の情報をサービスシステム１に登録することで、商品６ｂの販売促進を行うことができる。
【００９４】
また、広告主５は、コンサートチケット６ｃにＱＲコード７ｃを掲載してユーザに配布し、このコンサートに関する内容のコンテンツ情報をサービスシステム１に登録する。例えば、音声データにコンサートで演奏される曲のデータを登録することで、ユーザは、その曲を試聴することができるので、コンサートに対して興趣を高めることができる。
【００９５】
また、広告主５は、名刺６ｄにＱＲコード７ｄを掲載してユーザに配布し、この名刺に関する内容のコンテンツ情報をサービスシステム１に登録する。例えば、音声データに人物の音声で挨拶する内容や連絡事項を登録することで、ユーザは、専用アプリケーションでその音声を確認することができて、ユーザに対して信頼を高めることができる。
【００９６】
以上、本発明の好ましい実施形態について詳述したが、本発明は上述した実施形態に限定されるものではなく、特許請求の範囲に記載された本発明の要旨の範囲内において、種々の変形、変更が可能である。
【図面の簡単な説明】
【００９７】
【図１】本発明における携帯端末に係るアプリケーションのサービスシステムにおいて、広告主によるコンテンツ登録の概要を示した説明図である。
【図２】本発明における携帯端末に係るアプリケーションのサービスシステムにおいて、広告主又は管理者によるコンテンツ情報の変更や追加の概要を示した説明図である。
【図３】本発明における携帯端末に係るアプリケーションのサービスシステムにおいて、広告主によるコンテンツ登録、変更及び追加の処理を示したフローチャートである。
【図４】本発明における携帯端末に係るアプリケーションのサービスシステムにおいて、ＱＲコード作成部で作成したＱＲコードのデザインの例と、データフォーマットを示す説明図である。
【図５】本発明における携帯端末に係るアプリケーションのサービスシステムにおいて、ユーザによるコンテンツ取得の概要を示した説明図である。
【図６】本発明における携帯端末に係るアプリケーションのサービスシステムにおいて、携帯端末の内部構成を示したブロック図である。
【図７】本発明における携帯端末に係るアプリケーションのサービスシステムにおいて、コンテンツを取得した携帯端末の表示画面を示した説明図である。
【図８】本発明における携帯端末に係るアプリケーションのサービスシステムにおいて、携帯端末において専用アプリケーションにてコンテンツを取得して再生及び表示を行う処理を示したフローチャートである。
【図９】本発明における携帯端末に係るアプリケーションのサービスシステムにおいて、図８のステップＳ１１０において処理される、携帯端末において専用アプリケーションにてコンテンツを取得して再生及び表示を行う処理を示したフローチャートである。
【図１０】本発明における携帯端末に係るアプリケーションのサービスシステムにおいて、広告主に提供されるＱＲコードの配布例を示した説明図である。
【符号の説明】
【００９８】
１      サービスシステム
２      コンテンツ管理サーバ
３      ＱＲコード作成部
４      データベース
５      広告主
６      広告媒体
７      ＱＲコード
８      管理者
１０    携帯端末
１１    通信部
１２    制御部
１３    表示部
１４    操作部
１５    音声入力部
１６    バーコードリーダ部
１７    音声出力部
１８    不揮発性メモリ部
１９    専用アプリケーション
２０    コンテンツ画像
２１    コンテンツタイトル
２２    音声再生ボタン
２３    広告バナー
２４    メニューボタン
２５    終了ボタン
２６    音声
２７    音声一時停止ボタン
２８    広告ホームページ表示
２９    戻るボタン
３１    ＱＲコード部
３２    認識マーク
３３    データ取得情報
３４    ＵＲＬ情報
３５    ＩＤ情報
【図１】
2009282896.tif 000003
【図２】
2009282896.tif 000004
【図３】
2009282896.tif 000005
【図４】
2009282896.tif 000006
【図５】
2009282896.tif 000007
【図６】
2009282896.tif 000008
【図７】
2009282896.tif 000009
【図８】
2009282896.tif 000010
【図９】
2009282896.tif 000011
【図１０】
2009282896.tif 000012